(57)【要約】      （修正有）【課題】書籍を取り出し易いブックスタンドとして使用できるブックスタンド兼輸送箱用シートを提供する。【解決手段】一枚のシートからなり、方形の底板１と、底板の各側縁を基端として延設されている前板２、後板３及び一対の側板４ａ，４ｂと、一対の側板の後側の側縁を基端として延設され、組立状態で後板の内側に配置される一対の折り込み片５ａ，５ｂと、一対の側板の先端縁を基端として延設されている一対のフランジ６ａ，６ｂと、後板の先端縁を基端として延設され、組立状態でフランジの後部の外側を覆う天板７と、前板の先端縁を基端として延設され、組立状態で天板と突き合わされてフランジの前部の外側を覆う蓋板１０と、前板の両側縁を基端として延設され、組立状態で側板の内側に配置される一対の差し込み片１１ａ，１１ｂとを備え、底板が、前板が延設する側縁を含む部分を前板と共に切除可能な切断容易線１２を有する。【選択図】図１
0003187460.tif 000002
【実用新案登録請求の範囲】
【請求項１】
一枚のシートからなり、箱型に組立てられるブックスタンド兼輸送箱用シートであって、
方形の底板と、
上記底板の各側縁を基端として延設されている前板、後板及び一対の側板と、
上記一対の側板の後側の側縁を基端として延設され、組立状態で上記後板の内側に配置される一対の折り込み片と、
上記一対の側板の先端縁を基端として延設されている一対のフランジと、
上記後板の先端縁を基端として延設され、組立状態で上記フランジの後部の外側を覆う天板と、
上記前板の先端縁を基端として延設され、組立状態で上記天板と突き合わされて上記フランジの前部の外側を覆う蓋板と、
上記前板の両側縁を基端として延設され、組立状態で上記側板の内側に配置される一対の差し込み片とを備え、
上記底板が、上記前板が延設する側縁を含む部分を上記前板と共に切除可能な切断容易線を有するブックスタンド兼輸送箱用シート。
【請求項２】
上記フランジが、前記後部から前部よりも先端縁が延出する舌部を有し、
上記天板の先端縁を基端として延設され、この天板からの延出長さが上記天板の上記後板からの延出長さと略等しく、組立状態で上記舌部の内側に折り返される折り返し板と、
上記折り返し板の先端縁を基端として延設され、組立状態で上記折り込み片の前面に接面する内装板とをさらに備える請求項１に記載のブックスタンド兼輸送箱用シート。
【請求項３】
上記一対の折り込み片が、組立状態で互いの先端縁が突き合わされるよう設けられ、
一対の折り込み片の先端縁から延設されて、組立状態で互いに係合する一対の係合片をさらに備える請求項１又は請求項２に記載のブックスタンド兼輸送箱用シート。
【請求項４】
上記差し込み片が、略半円形状又は略半楕円形である請求項１、請求項２又は請求項３に記載のブックスタンド兼輸送箱用シート。
【請求項５】
請求項１から請求項４のいずれか１項に記載のブックスタンド兼輸送箱用シートを組み立ててなるブックスタンド兼輸送箱。
【考案の詳細な説明】
【技術分野】
【０００１】
本考案は、ブックスタンド兼輸送箱用シート及びブックスタンド兼輸送箱に関する。
【背景技術】
【０００２】
カタログセット等の一組をなす複数冊の書籍は、書籍の背側が開放した一つの外箱にまとめて収容された状態で提供されることが多い。このような組をなす書籍の外箱は、ある程度の幅を有し、自立可能であるため、それらの書籍を立てた状態に保管又は陳列するためのブックスタンドとしても利用される。
【０００３】
また、書籍を郵送又は宅配する際には、輸送中の書籍を保護するために、段ボール箱等に収容して発送することが多い。しかしながら、そのような発送用の段ボール箱は、通常、輸送後に廃棄される。
【０００４】
そこで、このような輸送中に書籍を保護するための箱を、背面の上部及び天面が開放した本体と、本体の開放部を封止する蓋体とに分割して形成し、蓋体を取り外すことで、ブックスタンドとしても利用できるようにした簡易本箱型パッケージも提案されている（実用新案登録第３０９４８７２号公報参照）。
【０００５】
しかしながら、上記簡易本箱型パッケージは、書籍の背面が全体的に開放していないため、書籍を上方に持ち上げるようにして取り出す必要があり、各書籍の重量が大きい場合には取り出しが容易ではない。
【先行技術文献】
【特許文献】
【０００６】
【特許文献１】実用新案登録第３０９４８７２号公報
【考案の概要】
【考案が解決しようとする課題】
【０００７】
上記不具合に鑑みて、本考案は、書籍を取り出し易いブックスタンドとして使用できるブックスタンド兼輸送箱用シート及びブックスタンド兼輸送箱を提供することを課題とする。
【課題を解決するための手段】
【０００８】
上記課題を解決するためになされた考案は、一枚のシートからなり、箱型に組立てられるブックスタンド兼輸送箱用シートであって、方形の底板と、上記底板の各側縁を基端として延設されている前板、後板及び一対の側板と、上記一対の側板の後側の側縁を基端として延設され、組立状態で上記後板の内側に配置される一対の折り込み片と、上記一対の側板の先端縁を基端として延設されている一対のフランジと、上記後板の先端縁を基端として延設され、組立状態で上記フランジの後部の外側を覆う天板と、上記前板の先端縁を基端として延設され、組立状態で上記天板と突き合わされて上記フランジの前部の外側を覆う蓋板と、上記前板の両側縁を基端として延設され、組立状態で上記側板の内側に配置される一対の差し込み片とを備え、上記底板が、上記前板が延設する側縁を含む部分を上記前板と共に切除可能な切断容易線を有するブックスタンド兼輸送箱用シートである。
【０００９】
当該ブックスタンド兼輸送箱用シートは、箱型に組み立てることで、内部に書籍を収容可能なブックスタンド兼輸送箱として用いることができる。このようなブックスタンド兼輸送箱は、書籍を梱包して傷つけずに輸送できる。加えて、このように書籍を梱包したブックスタンド兼輸送箱にあっては、切断容易線で底部の一部を前板と共に切除することで開封することができ、一方の側板を下にして立てて置くことにより、ブックスタンドとして使用できる。そして、上記ブックスタンド兼輸送箱にあっては、上述のように前板が切除されるため、この前板の存在していた部分から書籍を容易に取り出せる。また、ブックスタンド兼輸送箱用シートにあっては、上述のように前板とともに蓋板の一部も切除されるため、蓋板の存在していた部分から表出する書籍の部分を保持して、書籍を容易に取り出すことができる。
【００１０】
当該ブックスタンド兼輸送箱用シートは、上記フランジが、前記後部から前部よりも先端縁が延出する舌部を有し、上記天板の先端縁を基端として延設され、この天板からの延出長さが上記天板の上記後板からの延出長さと略等しく、組立状態で上記舌部の内側に折り返される折り返し板と、上記折り返し板の先端縁を基端として延設され、組立状態で上記折り込み片の前面に接面する内装板とをさらに備えるとよい。この構成によれば、組立状態において天板と折り返し板とがフランジの舌部を挟み込んで保持するので、接着剤や粘着テープを使用しなくても、ブックスタンドとしての形状を確実に維持できる。また、組立状態において内装板は底板及び折り込み片と重なるように配置されるため、この内装板によって後板が補強され、ブックスタンド兼輸送箱の形状を確実に維持できる。
【００１１】
当該ブックスタンド兼輸送箱用シートにおいて、上記一対の折り込み片が、組立状態で互いの先端縁が突き合わされるよう設けられ、一対の折り込み片の先端縁から延設されて、組立状態で互いに係合する一対の係合片をさらに備えるとよい。これらの係合片が互いに係合し、一対の折り込み片が一体的に接続されることで、ブックスタンド兼輸送箱の形状がより安定する。
【００１２】
当該ブックスタンド兼輸送箱用シートにおいて、上記差し込み片が、略半円形状又は略半楕円形であるとよい。この構成により、箱型に組立てる際に差し込み片を容易かつ確実に側板の内側に挿し込むことができる。
【００１３】
また、上記課題を解決するためになされた別の考案は、当該ブックスタンド兼輸送箱用シートを組み立ててなるブックスタンド兼輸送箱である。上述のように、当該ブックスタンド兼輸送箱は、底板の前側の側縁近傍部分と共に前板を切除することにより、既述のように書籍を取り出し易いブックスタンドとして使用できる。
【００１４】
なお、本考案における底、前、後、側等の用語は、相対的な位置関係を示すために使用されるものであり、当該ブックスタンド兼輸送箱の搬送時や使用時等における絶対的な向きを限定するものではない。
【考案の効果】
【００１５】
本考案のブックスタンド兼輸送箱用シート及びブックスタンド兼輸送箱は、底板の前側の側縁近傍部分と共に前板、差し込み片及び蓋板を切除することにより、書籍を取り出し易いブックスタンドとして使用できる。
【図面の簡単な説明】
【００１６】
【図１】本考案の一実施形態のブックスタンド兼輸送箱用シートを示す模式的平面図（展開図）である。
【図２】図１のブックスタンド兼輸送箱用シートの組み立て工程を示す模式的斜視図である。
【図３】図１のブックスタンド兼輸送箱用シートの図２の次の組み立て工程を示す模式的斜視図である。
【図４】図１のブックスタンド兼輸送箱用シートの図３の次の組み立て工程を示す模式的斜視図である。
【図５】図１のブックスタンド兼輸送箱用シートの図４の次の組み立て工程を示す模式的斜視図である。
【図６】図１のブックスタンド兼輸送箱用シートを組み立てたブックスタンド兼輸送箱用シートの前板等を除去し、ブックスタンドとして用いる状態を示す模式的斜視図である。
【考案を実施するための形態】
【００１７】
以下、適宜図面を参照しつつ、本考案の実施の形態を詳説する。
【００１８】
［ブックスタンド兼輸送箱用シート］
図１のブックスタンド兼輸送箱用シートは、一枚の段ボールシートからなる。図１の展開図において、太線は段ボールシートを切断したエッジを示し、細線は段ボールシートに型押しして形成した罫線（弱化線）を示す。このブックスタンド兼輸送箱用シートは、図２から図５に示すように箱状に組み立てることにより内部に書籍Ｄを平積み状態で収容する輸送箱Ｂの形態で使用できると共に、輸送箱Ｂの状態から一部分を切除することにより図６に示すように書籍Ｄを陳列するブックスタンドＳの形態でも使用できるブックスタンド兼輸送箱を構成する。なお、当該ブックスタンド兼輸送箱用シートの大きさは、特に限定されるものではなく、収容する書籍の大きさにあわせて適宜設計変更可能であるが、例えば横幅（左右方向の長さ）が約２５ｍｍ、奥行（前後方向の長さ）が約１８ｍｍ、高さ（上下方向の長さ）が約１４ｍｍとすることができる。
【００１９】
当該ブックスタンド兼輸送箱用シートは、
長方形の底板１と、
この底板１の各側縁を基端として延設された前板２、後板３及び一対の側板４ａ，４ｂと、
一対の側板４ａ，４ｂの後側の側縁を基端として延設され、組み立て状態で図２に示すように後板３の内側に配置される一対の折り込み片５ａ，５ｂと、
一対の折り込み片５ａ，５ｂの先端縁から延設されて、組立状態で互いに係合する一対の係合片１４ａ，１４ｂと、
一対の側板４ａ，４ｂの先端縁を基端として延設された一対のフランジ６ａ，６ｂと、
後板３の先端縁を基端として延設され、組み立て状態で図３に示すようにフランジ６ａ，６ｂの後部の外側を覆う天板７と、天板７の先端縁を基端として延設され、天板７からの延出長さが天板７の後板３からの延出長さと略等しく、組み立て状態で天板７の内側に折り返される折り返し板８と、
この折り返し板８の先端縁を基端として延設され、組み立て状態で図４に示すように折り込み片５ａ，５ｂの前面に接面する内装板９と、
前板２の先端縁を基端として延設され、天板７と突き合わされるようにしてフランジ６ａ，６ｂの前部の外側を覆う蓋板１０と、
前板２の両側縁を基端として延設され、図５に示すように側板４ａ，４ｂの内側に配置される一対の差し込み片１１ａ，１１ｂと
を備えている。
【００２０】
このブックスタンド兼輸送箱用シートにおいて、段ボールシートの中芯の稜線は、前後方向（側板４ａ，４ｂの基端縁と平行）に伸びるよう配向されている。
【００２１】
＜底板＞
底板１は、その前側の側縁（前板２の基端縁）を含む部分を前板２、蓋板１０及び差し込み片１１ａ，１１ｂと共に切除可能な切断容易線１２を有する。より詳しくは、図１の切断容易線１２は、中央部が底板１の前側の側縁と平行かつ所定間隔離間し、両端近傍で底板１の前側の側縁側に傾斜し、両端が前側の側縁に合致する形状に構成されている。切断容易線１２の中央部と底板１の前側の側縁との間隔は特に限定されるものではないが、この間隔の下限としては、５ｍｍが好ましく、１０ｍｍがより好ましく、１５ｍｍがさらに好ましい。一方、切断容易線１２の中央部と底板１の前側の側縁との間隔の上限としては、１００ｍｍが好ましく、５０ｍｍがより好ましく、３０ｍｍがさらに好ましい。切断容易線１２の中央部と底板１の前側の側縁とがこのような範囲をとることで、図６に示すように切断容易線１２に沿って底板１を切断し、前板２、差し込み片１１ａ，１１ｂ及び蓋板１０と共に底板１の前側の側縁近傍部分を切除したときに、収容している書籍Ｄの背近傍の表裏両側に指を配置して把持することが可能となる。なお、切断容易線１２は、ミシン目状に断続的に形成された多数の切り込みからなる。
【００２２】
＜前板＞
前板２は、上述のように底板１の前側の側縁から延設される長方形状の部分から構成される。この前板２は、組立状態において底板１に対して垂直に折り曲げられる。この前板２は、当該ブックスタンド兼輸送箱用シートを組み立てた当該ブックスタンド兼輸送箱を輸送箱Ｂとして使用する際、図４及び図５に示すように、その基端縁（底板１の前側の側縁）を中心に蓋板１０と共に回動して、輸送箱Ｂに収容された書籍Ｄの背と当接する部分である。
【００２３】
＜後板＞
後板３は、上述のように底板１の後側の側縁から延設される長方形状の部分から構成される。この後板３は、組立状態において底板１に対して垂直に折り曲げられる。この後板３は、上記前板２と同形状を有し、組立状態において前板２と対向する。この後板３は、当該ブックスタンド兼輸送箱ＢをブックスタンドＳとして使用する際に、このブックスタンドＳの背面を構成する。
【００２４】
＜側板＞
側板４ａ，４ｂは、上述のように底板１の両側の側縁から延設される略長方形状の部分から構成される。この側板４ａ，４ｂは、組立状態において底板１、前板２及び後板３に対して垂直に折り曲げられる。一対の側板４ａ，４ｂは、同一形状を有し、組立状態において互いに対向する。また、側板４ａ，４ｂは、前板２及び後板３と略同一の高さ（図１の紙面上横方向の長さ）を有し、組立状態において側板４ａ，４ｂ、前板２及び後板３との先端縁（上縁）の高さ方向の位置が略同一となる。この側板４ａ，４ｂは、上述のようにブックスタンドＳとして使用する際に、このブックスタンドＳの天板及び地板を構成する。なお、側板４ａ，４ｂの天地は、収容した書籍Ｄの天地に合わせて定められる。
【００２５】
側板４ａ，４ｂの前側の側縁の略中央には、略半円状の切り欠き１３ａ，１３ｂが形成されている。この切り欠き１３ａ，１３ｂによって、ブックスタンドＳに収容した書籍Ｄを引き出す際、書籍Ｄの背の上端に指をかけることができる。また、この切り欠き１３ａ，１３ｂによって、輸送箱Ｂに書籍Ｄを収容して封函する際に、側板４ａ，４ｂと書籍Ｄとの間に差し込み片１１ａ，１１ｂを差し込みやすい。
【００２６】
切り欠き１３ａ，１３ｂの幅の下限としては、指をかけられるようにするために、２０ｍｍが好ましく、２５ｍｍがより好ましい。一方、切り欠き１３ａ，１３ｂの幅の上限としては、当該ブックスタンド兼輸送箱用シートを組み立てた輸送箱Ｂ及びブックスタンドＳの強度を損なわないよう４０ｍｍが好ましく、３５ｍｍがより好ましい。
【００２７】
＜折り込み片＞
折り込み片５ａ，５ｂは、上述のように側板４ａ，４ｂの後側の側縁から延設される略長方形状の部分から構成される。この折り込み片５ａ，５ｂは、組立状態において側板４ａ，４ｂに対して垂直に折り曲げられることで後板３の前面に接面される。各折り込み片５ａ，５ｂは、後板３の幅（後板３の基端縁の長さ）の１／２の長さ延設され、組立状態で互いの先端縁が突き合わされるよう設けられている。
【００２８】
また、各折り込み片５ａ，５ｂには、先端縁と後板３側（展開図状態）の側縁との角に、凹状の円弧をなすように切り欠き１６ａ，１６ｂが形成されている。これらの切り欠き１６ａ，１６ｂは、後述するように係合片１４ａ，１４ｂ同士を係合させた状態で、１つの略半円形の切り欠きを構成する。また、切り欠き１６ａ，１６ｂが構成する略半円形の切り欠きの幅（直径）の上限及び下限は、上記側板４ａ，４ｂの切り欠き１３ａ，１３ｂの幅の上限及び下限と同様である。
【００２９】
＜係合片＞
係合片１４ａ，１４ｂは、上述するように折り込み片５ａ，５ｂの先端縁から延設された略長方形状の部分から構成される。この係合片１４ａ，１４ｂは、組立状態において互いに係合され後板３の前面に接面される。なお、係合片１４ａ，１４ｂは、組立状態における上下方向（以下、単に上下方向ということがある）の上側に配設されている。一方の係合片１４ａと一方の折り込み片５ａとは、上下方向略中央で接続され、この接続部分よりも上側で係合片１４ａと折り込み片５との間に係合部としてのスリット１５ａが形成されている。他方の係合片１４ｂと他方の折り込み片５ｂとは、上下方向上部で接続され、この接続部分よりも中央側で係合辺１４ｂと折り込み片５ｂとの間に係合部としてのスリット１５ｂが形成されている。このため、これらのスリット１５ａとスリット１５ｂとが互いに嵌合することで、図２に示すように、後板３の内側において一対の折り込み片５ａ，５ｂとが一体的に接続され、側板４ａ，４ｂの底板１に対する直立状態が維持される。
【００３０】
＜フランジ＞
フランジ６ａ，６ｂは、組立状態において側板４ａ，４ｂに対して垂直に折り曲げられ、天板７及び蓋板１０に当接し、側板４ａ，４ｂと天板７及び蓋板１０との隙間を封止する。このフランジ６ａ，６ｂは、組立状態において天板７に当接する後部と、蓋板１０に当接する前部とを有している。なお、このフランジ６ａ，６ｂの前部は、組立状態において、折り返し片８とも当接、つまり天板７と折り返し片８とによって挟持された状態となる。
【００３１】
上記フランジ６ａ，６ｂの前部と後部とは、奥行方向（図１の紙面上の上下方向）の長さが略同一に設けられている。なお、フランジ６ａ，６ｂの前部に対する後部の奥行方向の長さの比は特に限定されないが、この比の下限として０．４が好ましく、０．７がより好ましい。一方、上記比の上限としては、３が好ましく、１．５がより好ましい。上記比が上記下限未満であると、天板７及び折り返し片８の奥行方向の長さが短くなり過ぎ、ブックスタンドとして使用する際の強度（天地方向の強度）が欠けるおそれがある。逆に、上記比が上記上限を超えると、天板７及び折り返し片８が長くなり過ぎ、当該ブックスタンド兼輸送箱用シートを製造するのに必要な段ボールシートの面積が広くなり過ぎるおそれがある。
【００３２】
また、上記フランジ６ａ，６ｂは、上記後部から前部よりも先端縁が延出する舌部１７ａ，１７ｂを有している。つまり、フランジ６ａ，６ｂは、先端縁が図１に示すように階段状に設けられている。
【００３３】
ここで、上記フランジ６ａ，６ｂの幅（基端縁から先端縁までの長さ）は特に限定されないが、各フランジ６ａ，６ｂの前部における幅の下限としては、底板２の幅（組立状態の一対の側板４ａ，４ｂ間の間隔）の０．０５倍が好ましく、０．１倍がより好ましい。一方、各フランジ６ａ，６ｂの前部における幅の上限としては、底板２の幅の０．３倍が好ましく、０．２倍がより好ましい。各フランジ６ａ，６ｂの前部における幅が上記下限未満であると、フランジ６ａ，６ｂと蓋板１０との隙間を封止するという機能が十分に奏することができないおそれがある。逆に、各フランジ６ａ，６ｂの後部における幅が上記上限を超えると、組立状態において一対のフランジ６ａ，６ｂの先端縁が近接し過ぎ、折り返し片８の幅を十分にとれず、折り返し片８の強度にかけるおそれがある。
【００３４】
また、各フランジ６ａ，６ｂの後部における幅の下限としては、底板１の幅の０．１倍が好ましく、０．２倍がより好ましい。一方、各フランジ６ａ，６ｂの後部における幅の上限としては、底板１の幅の０．４５倍が好ましく、０．３５倍がより好ましい。各フランジ６ａ，６ｂの後部における幅が上記下限未満であると、フランジ６ａ，６ｂの前部の幅との差が小さくなり過ぎ、天板７と折り返し片８とによる舌片１７ａ，１７ｂの挟持が不十分となるおそれがある。逆に、各フランジ６ａ，６ｂの後部における幅が上記上限を超えると、当該ブックスタンド兼輸送箱用シートを製造するに必要な段ボールシートの面積が広くなり過ぎるおそれがある。
【００３５】
また、各フランジ６ａ，６ｂの先端縁の段差（前部における幅と後部における幅との差）の下限としては、２ｃｍが好ましく、３ｃｍがより好ましい。一方、上記先端縁の段差の上限としては、１０ｃｍが好ましく、５ｃｍがより好ましい。上記先端縁の段差が上記下限未満であると、天板７と折り返し片８とによる舌片１７ａ，１７ｂの挟持が不十分となるおそれがある。逆に、上記先端縁の段差が上記上限を超えると、後部の幅が長くなり過ぎ、当該ブックスタンド兼輸送箱用シートを製造するに必要な段ボールシートの面積が広くなり過ぎるおそれがある。
【００３６】
＜天板＞
天板７は、上述のように後板３の前端縁から延設される長方形状の部分から構成される。この天板７は、組立状態において後板３に対して垂直に折り曲げられ、フランジ６ａ，６ｂの後部に当接し、輸送箱Ｂの上部開口の後側を封止する。この天板７の延出長さ（奥行方向の長さ）は、上記フランジ６ａ，６ｂの後部の奥行方向の長さと略同一に設けられている。つまり、天板７は、底板１と同一幅かつ奥行方向の半分の長さの長方形状に設けられている。なお、この天板７は、書籍Ｄの収容に先立って当該ブックスタンド兼輸送箱用シートを箱状に組み立てるために、フランジ６ａ，６ｂの外側に当接する状態で固定される。また、天板７は、ブックスタンドＳの一方の側壁となるため、ブックスタンドＳの強度に影響する。
【００３７】
＜折り返し板＞
折り返し板８は、上述のように天板７の先端縁から天板７の先端縁よりも幅狭で延設される長方形状の部分から構成される。この折り返し板８は、上記天板７の先端縁の幅方向中央から延設されており、この折り返し板８の幅は、組立状態における一対のフランジ６ａ，６ｂの前部の先端縁間の距離と等しい、又は小さく設けられる。なお、折り返し板８の幅が組立状態における一対のフランジ６ａ，６ｂの前部の先端縁間の距離と等しいことで、折り返し片８の両側縁とフランジ６ａ，６ｂの前部の先端縁とが当接するので、ブックスタンドとして使用する際に天地方向の強度の向上が図られる。また、折り返し片８の延出長さ（奥行方向の長さ）は天板７と略同一である。そして、組立状態において折り返し板８は、天板７の内側に折り返されて、天板７との間にフランジ６ａ，６ｂの舌部１７ａ，１７ｂを挟持する。つまり、この折り返し板８は、図３に示すように、フランジ６ａ，６ｂの前部の間を通過して天板７の内側に折り返される。なお、天板７及び折り返し板８の奥行方向の長さが側板４ａ，４ｂの先端縁の長さの１／２より大きければ、図示するように内装板９の幅がフランジ６ａ，６ｂの前部の間隔よりも大きくても、内装板９がフランジ６ａ，６ｂに干渉しない。
【００３８】
＜内装板＞
内装板９は、上述のように折り返し板８の先端縁から延設される略長方形状の部分から構成される。この内装板９は、後板３と略同じ大きさを有しており、組立状態において折り返し板８に対し垂直に折り曲げられ、そのエッジが底板１、側板４ａ，４ｂ及びフランジ６ａ，６ｂの後端内側に当接することにより、それらの間の角度を直角に保持する。この内装板９は、中央に基端縁と平行な弱化線１８が形成されている。このため、その延出長さが底板１とフランジ６ａ，６ｂとの間の間隔と略同一又は若干大きくても、弱化線１８で僅かに屈曲して、底板１及びフランジ６ａ，６ｂの後端縁に沿うように容易に挿入できる。また、内装板９において段ボールシートの中芯の稜線の向きがその延出方向と同じであるため、側板４ａ，４ｂに当接する側端縁近傍の中芯の山が完全でない範囲は潰れやすい。よって、内装板９は、その幅が側板４ａ，４ｂの間隔よりも僅かに大きくても、側端縁近傍を潰すようにして、側板４ａ，４ｂの後端縁に沿うように挿入できる。このようにして挿入した内装板９は、底板１とフランジ６ａ，６ｂとの間に嵌合して係止されるため、折り返し板８によるフランジ６ａ，６ｂの舌部１７ａ，１７ｂの保持を維持する。さらに、内装板９が弱化線１８で僅かに屈曲することで、ブックスタンドＳの縦方向の強度を高められる。
【００３９】
また、内装板９は、先端縁の中央部に略半円形の切り欠き１９が設けられている。この切り欠き１９は、当該ブックスタンド兼輸送箱用シートを組み立てたときに折り込み片５ａ，５ｂの切り欠き１６ａ，１６ｂと略重なるように形成されている。このため、内装板９の切り欠き１９に指をかけて内装板９を前側に引き出すことにより、輸送箱Ｂ又はブックスタンドＳを展開してシート状に戻すことができる。
【００４０】
＜蓋板＞
蓋板１０は、上述のように前板２の先端縁から延設される長方形状の部分から構成される。蓋板１０は、組立状態において前板２に対し垂直に折り曲げられることでフランジ６ａ，６ｂの外側に当接して、輸送箱Ｂの開口を封止する。この蓋板１０の延出長さ（奥行方向の長さ）は、上記フランジ６ａ，６ｂの前部の奥行方向の長さと略同一に設けられている。つまり、蓋板１０は、底板１と同一幅かつ奥行方向の半分の長さの長方形状に設けられ、このため組立状態において蓋板１０の先端縁は天板７の先端縁と突き合わされる。この蓋体１０は、当該ブックスタンド兼輸送箱を輸送箱Ｂとして使用する場合、輸送箱Ｂは、例えば、天板７と蓋板１０とに跨るように粘着テープ（不図示）を貼着することにより封止される。この蓋板１０が前板２と共に切除されることにより、ブックスタンドＳとして使用する際に、蓋板１０が存在していた書籍Ｄの表紙を確認できると共に、書籍Ｄを把持して容易に取り出すことができる。
【００４１】
＜差し込み片＞
差し込み片１１ａ，１１ｂは、上述のように前板２の側縁から延設された略半円状の部分から構成される。この差し込み片１１ａ，１１ｂは、組立状態において前板２に対し垂直に折り曲げられ、側板４ａ，４ｂの内側に当接し、前板２と側板４ａ，４ｂとの隙間を封止する。また、差し込み片１１ａ，１１ｂは、前板２の強度を高めると共に、側板４ａ，４ｂの前側部分を補強する。
【００４２】
当該ブックスタンド兼輸送箱用シートを組み立てる場合、上述のように先に側板４ａ，４ｂ及び後板３を底板１に対して折り立てて、フランジ６ａ，６ｂの舌部１７ａ，１７ｂを天板７と折り返し板８とで挟み込んで係止する。従って、差し込み片１１ａ，１１ｂは、その後に、図５に示すように、前板２と共に回動してフランジ６ａ，６ｂの内側に挿入されなければならない。また、梱包時とは逆に、輸送箱Ｂを開封する際には、差し込み片１１ａ，１１ｂを回動させるようにして引き抜き可能とすることが望ましい。このため、差し込み片１１ａ，１１ｂは、蓋板１０側の側縁と先端縁とが弧を描くように接続されている。
【００４３】
また、当該ブックスタンド兼輸送箱用シートを組み立てて輸送箱Ｂとして使用された後の当該ブックスタンド兼輸送箱を開封して、ブックスタンドＳの形態とする際、先ず、底板１の切断容易線１２を破断してから、前板２を蓋板１０の基端縁を中心に回動させることも想定される。したがって、このような方法によっても、差し込み片１１ａ，１１ｂを側板４ａ，４ｂの内側から引き抜けるようにすることが望ましい。このため、差し込み片１１ａ，１１ｂは、底板１側の側縁と先端縁とが弧を描くように接続されている。この結果、差し込み片１１ａ，１１ｂは、略半円形又は略半楕円形に形成されている。
【００４４】
＜利点＞
当該ブックスタンド兼輸送箱用シートを組み立ててなる当該ブックスタンド兼輸送箱は、上述のように、書籍Ｄを収容する輸送箱Ｂとしても、書籍Ｄを立てて陳列するブックスタンドＳとしても使用できる。当該ブックスタンド兼輸送箱は、ブックスタンドＳとして使用される際には、前板２だけでなく底板１の前縁近傍部及び蓋板１０が切除されるので、書籍Ｄを把持して引き出しやすい。また、側板４ａ，４ｂに設けた切り欠き１３ａ，１３ｂも、書籍Ｄに指をかけて引き出すことを可能にする。さらに、当該ブックスタンド兼輸送箱用は、段ボールシートの中芯の稜線の向きが前後方向に配向されているので、書籍Ｄの出し入れの際に書籍Ｄが段ボールシートに引っかかり難い。このため、当該ブックスタンド兼輸送箱用は、ブックスタンドＳとして機能的に使用できる。
【００４５】
また、当該ブックスタンド兼輸送箱用は、段ボールシートの中芯の稜線の向きが前後方向に配向されていることにより、前後方向に十分な強度を有する。一方、当該ブックスタンド兼輸送箱は、後板３及び天板７の内側に折り返し板８及び内装板９が配置されることにより、ブックスタンドＳの天地方向にも十分な強度を有する。
【００４６】
さらに、当該ブックスタンド兼輸送箱は、折り込み片５ａ，５ｂに互いに係合するスリット１５ａ及びスリット１５ｂを設けたので、組み立てが容易であると共に、折り込み片５ａ，５ｂが一体となって輸送箱Ｂ及びブックスタンドＳの強度を高める。
【００４７】
また、当該ブックスタンド兼輸送箱用シートは、天板７と折り返し板８とでフランジ６ａ，６ｂの舌部１７ａ，１７ｂを挟み込むことにより、接着剤、粘着テープ、ステープラー等を使用することなく箱状に組み立てられ、逆に当該ブックスタンド兼輸送箱用をシート状に展開することも容易である。折り込み片５ａ，５ｂの切り欠き１６ａ，１６ｂ及び内装板９の切り欠き１９も、この組み立て及び展開を容易にする。
【００４８】
当該ブックスタンド兼輸送箱では、差し込み片１１ａ，１１ｂが略半円形状又は略半楕円形に形成されているため、輸送箱Ｂとして封函する作業、及びブックスタンドＳとして利用する為に開封する際ために差し込み片１１ａ，１１ｂと共に前板２を切除する作業が容易である。
【００４９】
［その他の実施形態］
今回開示された実施の形態はすべての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００５０】
例えば、切断容易線１２は、前板２を切除できるように底板１の一部を切除できればよく、その経路については多様な変形が可能である。
【産業上の利用可能性】
【００５１】
当該ブックスタンド兼輸送箱用シート及びこれを組み立ててなるブックスタンド兼輸送箱は、カタログセット、アルバムセット等の輸送及び陳列に好適に利用できる。
【符号の説明】
【００５２】
１  底板
２  前板
３  後板
４ａ，４ｂ  側板
５ａ，５ｂ  折り込み片
６ａ，６ｂ  フランジ
７  天板
８  折り返し板
９  内装板
１０  蓋板
１１ａ，１１ｂ  差し込み片
１２  切断容易線
１３ａ，１３ｂ  切り欠き
１４ａ，１４ｂ  係合片
１５ａ，１５ｂ  スリット
１６ａ，１６ｂ  切り欠き
１７ａ，１７ｂ  舌部
１８  弱化線
１９  切り欠き
【図１】
0003187460.tif 000003
【図２】
0003187460.tif 000004
【図３】
0003187460.tif 000005
【図４】
0003187460.tif 000006
【図５】
0003187460.tif 000007
【図６】
0003187460.tif 000008